(57)【特許請求の範囲】
【請求項１】
左右一対の前部支柱１，２と、これらの前部支柱１，２にそれぞれ対向する左右一対の後部支柱３，４と、左側前部及び後部支柱１，３間に架設した固定ブレス５６，５７と、同じく右側前部及び後部支柱２，４間に架設した固定ブレス５６，５７と、左側前部及び後部支柱１、３の下部にそれぞれ一端を枢着させると共に他端を右側前部及び後部支柱２，４の上部にそれぞれ枢着させた前後一対の伸縮ブレス１８，１８と、右側前部及び後部支柱２，４の下部にそれぞれ一端を枢着させると共に他端を左側前部及び後部支柱１，３の上部にそれぞれ枢着させた前後一対の伸縮ブレス１９，１９と、各伸縮ブレスに設けられてこれらの設定伸長状態のロックおよびロック解除を可能にする伸長ロック部材２２６，２６と、左右の前部支柱１，２の上部と左右の後部支柱３，４の上部間にそれぞれ着脱自在に架設した前後一対の横杆３１，３１と、左側前部及び後部支柱１，３に一端側が枢支された第一の床部材３７と、右側前部及び後部支柱２，４に一端側が枢支された第二の床部材３９と、上記第一の床部材３７の他端側および第二の床部材３９の他端側を連結するヒンジ部材４１と、上記第一の床部材３７および第二の床部材３９間に着脱自在に架設されて連結部材４５の脱抜により上記各床部材３７，３９を上記ヒンジ部材４１を介して屈曲可能にする連結板４２、４２とを備えた支保工
【請求項２】
左右一対の前部支柱１，２間に架設された一対の前側伸縮ブレス１８，１９と左右一対の後部支柱３，４間に架設された一対の後部伸縮ブレス１８，１９をそれぞれ中央部付近でX字状に交差させ、これら中央部付近で交差する上記伸縮ブレスの一方にブラケット２９，２９を設け、該ブラケット２９，２９と上記連結板４２，４２とを固定支持部材４８，４８によって着脱可能に固定支持するようにした請求項１に記載の支保工
【請求項３】
伸縮ブレス１８，１９は、アウターチューブと、該アウターチューブ内に出入自在に挿入されたインナーチューブと、で構成されている請求項１又は２に記載の支保工
【発明の詳細な説明】
【０００１】
【発明の属する技術分野】
本発明は、橋梁工事，各種建築，土木工事において、例えば、橋桁，大トラス等の重量物を架設する場合に、これらの橋桁，大トラス等のブロックを支える支保工に関する。
【０００２】
【従来の技術】
一般に、橋梁工事において橋桁を橋脚上に架設する場合、予め工場で任意の大きさに製作された橋桁ブロックを架設現場まで輸送し、次いでこのブロックをクレーンで吊り下げながら支保工上に受けさせ、この支保工上で仮受けされたブロックをさらに他のブロックと接合した後に、橋脚上に設置される。一方、橋桁が橋脚上に設置された後は、支保工は解体または撤去される。
【０００３】
しかして、支保工を工事現場で組立，解体するための作業能率が悪く、作業経費などの点で経済性に劣る。このため、例えば、実開平７―８４１６号公報には折り畳み自在な支保工が提案され、輸送中はコンパクトに折り畳み、現場で使用する時には立方体状に展開して、いちいち組立，解体することなく、現場ごとに転用できるようになった。
【０００４】
上記公報に開示された支保工は、図１２に示すように、相対する一対の固定フレーム８１，８１と、各固定フレームの左右両端部に枢支された折り畳み可能な一対の補強フレーム８２，８２と、固定フレーム８１，８１の内側中間に回転自在に基端を枢着した床板とで構成されたものである。
【０００５】
この場合、補強フレーム８２は、固定フレーム８１を構成する支柱８３の上端間に枢着された折り畳み自在な手摺支柱８４と、支柱８３，８３の中間に枢着された折り畳み自在な水平材８５と、支柱８３，８３の上端と水平材８５の中間に枢着されたブレス８６，８６と、手摺支柱８４と水平材８５の各中間に架設された垂直材８７と、で構成され、使用中は、図示するように、立方体状に展開されるが、不使用時、例えば、輸送中は、ブレス８６，８６の下端を水平材８５からはずし、前後方向から自重により圧縮すると補強フレーム８２が折り畳まれ、全体がコンパクトになるものである。
【０００６】
【発明が解決しようとする課題】
しかしながら、上記従来の支保工は、補強フレーム８２が折り畳み構造であること、ブレス８６が上方に二本あるのみで水平材８５より下方には補強材が存在しないことに鑑み、矢印Ａ，Ｂで示す縦方向，左右方向からの荷重に対しては固定フレーム８１の存在によって耐久性があり、かつ強度があって変形される心配はないが、振動等によって矢印Ｃで示す前後方向からの荷重に対しては弱く、場合によって圧縮方向に変形するおそれがある。
【０００７】
そこで、本発明の目的は、縦方向，左右方向のみならず前後方向からの荷重に対しても耐久性があり、かつ余分な作業をすることなく極めて簡単に折り畳みできる支保工を提供することである。
【０００８】
【課題を解決するための手段】
上記の目的を達成するため、本発明にかかる支保工は、左右一対の前部支柱と、これらの前部支柱にそれぞれ対向する左右一対の後部支柱と、左側前部及び後部支柱間に架設した固定ブレスと、同じく右側前部及び後部支柱間に架設した固定ブレスと、左側前部及び後部支柱の下部にそれぞれ一端を枢着させると共に他端を右側前部及び後部支柱の上部にそれぞれ枢着させた前後一対の伸縮ブレスと、右側前部及び後部支柱の下部にそれぞれ一端を枢着させると共に他端を左側前部及び後部支柱の上部にそれぞれ枢着させた前後一対の伸縮ブレスと、各伸縮ブレスに設けられてこれらの設定伸長状態のロックおよびロック解除を可能にする伸長ロック部材と、左右の前部支柱の上部と左右の後部支柱の上部間にそれぞれ着脱自在に架設した前後一対の横杆と、左側前部及び後部支柱に一端側が枢支された第一の床部材と、右側前部及び後部支柱に一端側が枢支された第二の床部材と、上記第一の床部材の他端側および第二の床部材の他端側を連結するヒンジ部材と、上記第一の床部材および第二の床部材間に着脱自在に架設されて連結部材の脱抜により上記各床部材を上記ヒンジ部材を介して屈曲可能にする連結板とを備えたことを特徴とするものである。
【０００９】
この場合、左右一対の前部支柱１，２間に架設された一対の前側伸縮ブレス１８，１９と左右一対の後部支柱３，４間に架設された一対の後部伸縮ブレス１８，１９をそれぞれ中央部付近でX字状に交差させ、これら中央部付近で交差する上記伸縮ブレスの一方にブラケット２９，２９を設け、該ブラケット２９，２９と上記連結板４２，４２とを固定支持部材４８，４８によって着脱可能に固定支持するようにしても良い。
【００１０】
同じく、伸縮ブレスは、アウターチューブと、該アウターチューブ内に出入自在に挿入されたインナーチューブと、で構成するのが好ましい。
【００１１】
【発明の実施の形態】
以下、この発明の実施の一形態を図について説明する。図１１は、この発明の支保工の基本形態を示す全体の斜視図、図２は、同じく正面図、図３は、同じく側面図である。
この実施の形態に係る支保工は、従来と同じく、左右一対の前部支柱１，２と、これらの前部支柱１，２にそれぞれ対向する左右一対の後部支柱３，４と、左側前部及び後部支柱１，３間に架設した固定ブレス５６，５７と、同じく右側前部及び後部支柱２，４間に架設した固定ブレス５６，５７とを備えている。
更に本発明では、左側前部及び後部支柱１、３の下部にそれぞれ一端を枢着させると共に他端を右側前部及び後部支柱２，４の上部にそれぞれ枢着させた前後一対の伸縮ブレス１８，１８と、右側前部及び後部支柱２，４の下部にそれぞれ一端を枢着させると共に他端を左側前部及び後部支柱１，３の上部にそれぞれ枢着させた前後一対の伸縮ブレス１９，１９と、各伸縮ブレスに設けられてこれらの設定伸長状態のロックおよびロック解除を可能にする伸長ロック部材２６，２６と、左右の前部支柱１，２の上部と左右の後部支柱３，４の上部間にそれぞれ着脱自在に架設した前後一対の横杆３１，３１と、左側前部及び後部支柱１，３に一端側が枢支された第一の床部材３７と、右側前部及び後部支柱２，４に一端側が枢支された第二の床部材３９と、上記第一の床部材３７の他端側および第二の床部材３９の他端側を連結するヒンジ部材４１と、上記第一の床部材３７および第二の床部材３９間に着脱自在に架設されて連結部材４５の脱抜により上記各床部材３７，３９を上記ヒンジ部材４１を介して屈曲可能にする連結板４２、４２とを備えている。
更に、左右一対の前部支柱１，２間に架設された一対の前側伸縮ブレス１８，１９と左右一対の後部支柱３，４間に架設された一対の後部伸縮ブレス１８，１９をそれぞれ中央部付近でX字状に交差させ、これら中央部付近で交差する上記伸縮ブレスの一方にブラケット２９，２９を設け、該ブラケット２９，２９と上記連結板４２，４２とを固定支持部材４８，４８によって着脱可能に固定支持するようにしている。
また、伸縮ブレス１８，１９は、アウターチューブと該アウターチューブ内に出入自在に挿入されたインナーチューブとで構成されている。
以下更に詳しく説明する。
【００１２】
また、これらの各前部支柱１，２および各後部支柱は下端部にこれらより小径の連結棒１ａ，２ａ，３ａ，４ａが突設され、上端部にはこれらの連結棒１ａ，２ａ，３ａ，４ａの外径より僅か大きい径の連結孔１ｂ，２ｂ，３ｂ，４ｂを持ったフランジ板１ｃ，２ｃ，３ｃ，４ｃが取り付けられている。
【００１３】
さらに、上記フランジ板１ｃ，２ｃ，３ｃ，４ｃのそれぞれには、図４にフランジ板２ｃを代表させて示すように、同一円周上に複数（この図では８個）の取付孔５が穿設されている。
【００１４】
６，７は、前部支柱１，２の上記フランジ板１ｃ，２ｃに取り付けられた取付ブラケットで、図４に代表して示すように、このうち取付ブラケット７は上記フランジ板２ｃを上下面から挟むコ字状部８と、これに連設された垂直取付片９とからなる。
【００１５】
そして、上記コ字状部８を形成する２片８ａ，８ｂには連結孔１０が穿設されており、これらの連結孔１０と上記フランジ板２ｃにおける複数の取付孔５のうち、前部支柱１のフランジ板１ｃに対向する側の取付孔５とにボルト１１が挿通され、かつこのボルト１１端にナット１２が締め込まれることで、取付ブラケット７がフランジ板２ｃに着脱可能に固定される。
【００１６】
また、上記垂直取付片９には上下方向に３個の取付孔１３，１４，１５が形成されている。なお、前部支柱１上のフランジ板１ｃにも、上記取付ブラケット７と同一構成の上記取付ブラケット６が対称配置されている。そして、さらに、後部支柱３，４上のフランジ板３ｃ，４ｃにもこれらと同等のブラケット６，７が対称配置されている。
【００１７】
また、図１および図２において、１６，１７は、上記前部支柱１，２の下部に互いに対向するように突設された下部取付片であり、これらの下部取付片１６，１７には伸縮ブレス１８，１９の各一端がピン２０，２１で枢支されている。
【００１８】
また、その伸縮ブレス１８，１９は、中央部付近で互いに交差されて、各他端が、図４に示すように、ボルト２２ａ，２３ａおよびナット２２ｂ，２３ｂにより各ブラケット７，６の各取付孔１５に枢支されている。
【００１９】
なお、これらの各伸縮ブレス１８，１９は、太径管部Ａ内に小径管部Ｂを出入自在に装着したものからなり、これらを最伸長位置に伸ばしたとき、図５に示すように、これらを貫通するピン孔２４相互に伸長ロック部材としてのピン２６を嵌挿可能にしてあり、このピンの嵌挿により収縮不可能とされている。
【００２０】
このピン２６は、図５に示すように、先端部で軸２７を中心に９０度回転してピン孔２４に対する抜止めがなされる抜止めキー２８を有する。２９は、中央部付近で交差する伸縮ブレス１８，１９のうち、一方の伸縮ブレス１９の太径管部Ａ外周に突設されたブラケットで、このブラケット２９には、後述の床部材に設けられた連結板上の取付孔とともにボルトが挿通されて、ナットにより締め止めされるブラケット孔３０が設けられている。
【００２１】
そして、上記構成と同様の下部取付片１６，１７および伸縮ブレス１８，１９が左右の後部支柱３，４およびこれらの間に同様にしてそれぞれ架設される。
【００２２】
また、２つの前部支柱１，２の取付ブラケット６，７および後部支柱３，４の取付ブラケット６，７の各中央にある図４に示すような取付孔１４には、水平配置される横杆３１の両端がボルト３２およびナット３３を用いて着脱自在に枢支されている。
【００２３】
図１および図２において、３４，３５は、前部支柱１，２および後部支柱３，４の略中位レベル位置に突設された上下一対の補強フランジ片で、これらの間に垂直取付板３６が連設されている。
【００２４】
前部支柱１側および後部支柱３側の上記垂直取付板３６には外形が矩形（長方形）の第一の床部材３７の一端側がピン３８によって枢支され、前部支柱２側および後部支柱４側の上記垂直取付片３６には、同じく矩形の第二の床部材３９の一端側がピン４０によって枢支されている。なお、これらの床部材３７，３９は板状や枠状に形成される。
【００２５】
そして、これらの第一の床部材３７の他端側および第二の床部材３９の他端側は互いに対向して、ここでヒンジ部材４１によって屈曲自在に連結されている。
【００２６】
また、これらの第一の床部材３７の前後面側には、図５，図６に示すように、連結板４２の一端部が溶接などによって固定され、これらの連結板４２の床部材３９の前後面と対向する位置に、その床部材３９の前後面に貫通形成した取付孔４３に連通可能な連通孔４４が設けられている。
【００２７】
そして、これらの各取付孔４３および連通孔４４に連結部材としてのボルト４５を通してナット４６をこれにねじ込むことで、第一の床部材３７に対して第二の床部材３９を同一平面位置に一体保持することができるようにしてある。
【００２８】
また、４７は、上記各連結板４２の中央部に形成された床部材支持孔であり、この床部材支持孔４７および上記ブラケット２９上のブラケット孔３０に対して、図５に示すように、固定支持部材としてのボルト４８を挿入し、これにナット４９を締め込むことで、各床部材３７，３９が伸縮ブレス１９に固定支持可能とされる。
【００２９】
また、これらの第一の床部材３７および第二の床部材３９の上部にはそれぞれ同一サイズの第一の床板５０，第二の床板５１が、図７および図８に示すように、着脱自在に取り付けることができる。
【００３０】
一方、前部支柱１および後部支柱３に設けた上記フランジ板１ｃ，３ｃの互いに対向する取付孔５と、前部支柱２および後部支柱４に設けた上記フランジ板２ｃ，３ｃの互いに対向する取付孔５には、それぞれ図４に示したものと同様の取付ブラケット５２，５３が、図３に示すように取り付けられている。
【００３１】
また、前部支柱１および後部支柱３の互いに対向する下部位置および前部支柱２および後部支柱４の互いに対向する下部位置には、それぞれ下部取付片５４，５５が突設されている。
【００３２】
そして、これらの各下部取付片５４，５５には各一のブレス５６，５７の一端がピン５８，５９により支着されており、これらの各ブレス５６，５７は中程で互いに交差して、他端が上記取付ブラケット５３，５２の図４に示すような下方の取付孔を介してボルト６１，６０およびナット（図示せず）により連結されている。
【００３３】
さらに、左右にある取付ブラケット５２，５３間には、図３に示すように、固定横杆６２が水平に配置され、これらの固定横杆６２の両端が、取付ブラケット５２，５３に形成された、図４に示したものと同様の上記中位にある取付孔に通してボルト６３，６４および図示しないナットにより連結されている。
【００３４】
なお、図１，図３において、６５は、各ブレス５６，５７の交差部に連結されて、これらを補強する補強板である。
【００３５】
図９は、図１に示した支保工を二段積みしたものを示し、図１に示したものと同一の構成部分には同一符号を付して、その重複する説明を省略する。
【００３６】
この二段積みの支保工は、上段の各支柱１，２，３，４の連結棒１ａ，２ａ，３ａ，４ａを、下段の各支柱１，２，３，４のフランジ孔１ｂ，２ｂ，３ｂ，４ｂ内に差し入れて行われ、上下二段の各床部材７０間と、床部材７０および地上間には梯子７１が架設され、各床部材７０間への上り下りを容易にしている。なお、ここでは各床部材７０上面の四周付近には、作業工具等の落下を防止する落下防止枠７２が立設されている。
【００３７】
また、図１に示した下段用の支保工に対して、上段の支保工では、各支柱１，２，３，４の下端部に下部取付片１６，１７，５４，５５が設けられておらず、従って、上段の各伸縮ブレス１８，１９の下端は、下段の取付ブラケット６，７，５２，５３の、図４に示すような上方の取付孔にボルト７３およびナット７４により連結される。
【００３８】
なお、下段の支保工の各支柱１，２，３，４の下端には、地盤上に支保工全体を安定支持するフランジ７６付きの筒状脚７７が嵌挿される。
【００３９】
かかる構成になる支保工は、前部支柱１，２および後部支柱３，４がそれぞれ全長に亘って互いに交差する伸縮ブレス１８，１９およびブレス５６，５７と、横杆３１および固定横杆６２によって、前後および左右の各方向および上下方向に支持されて、全体として力学上大きな剛体をなす。
【００４０】
そこで、このような支保工を折り畳んで搬送または収納する場合には、図示しないクレーンのワイヤ端をフランジ板１ｃ，２ｃ，３ｃ，４ｃのいずれかの取付孔５などに係止して、クレーンを操作して全体を持ち上げる。
【００４１】
そして、ある程度地上より浮上した場合には、この支保工の全体を斜めおよび横に倒した状態にして、再び地上に降ろして寝かせる（図１０参照）。
【００４２】
次に、このワイヤによって吊り下げた状態のまま、上記各取付ブラケット６，７，間に架設した各横杆３１を、ボルト３２およびナット３３を緩めることによって取り外し、続いて、各伸縮ブレス１８，１９のピン２６を、キー２８をピン２６の径内に収めることで各ピン孔２４から抜き取る。
【００４３】
これにより、大径管部Ａ内に小径管部Ｂが進入して各伸縮ブレス１８，１９の全長の短縮化を可能にする。
【００４４】
図５に示すブラケット２９のブラケット孔３０および連結板４２の床部材支柱孔４７に挿入されているボルト４８をナット４９を緩めて抜き取り、更に連結板４２からナット４６を緩めてボルト４５を抜き取り、第一の床部材３７および第二の床部材３９のヒンジ部材４１を中心とする折曲を可能とする。
【００４５】
そうした上で、次に上記ワイヤをさらに緩めると、上方の前部支柱１および後部支柱３などの自重によって、伸縮ブレス１８，１９の上記小径管部Ｂが上記大径管部Ａ内に摺動しながら入り込んでいき、その各支柱１，３は、図１０の２点鎖線で示すように降下していく。
【００４６】
このとき、上記各床部材３７，３９は、上記各支柱１，３の自重を受けてヒンジ部材４１を中心として屈曲していく。
【００４７】
そして、上記ワイヤをさらに十分に緩めていくと、上記伸縮ブレス１８，１９および床部材３７，３９は、図１１に示すように、前部支柱１および後部支柱３と、前部支柱２および後部支柱４との間に折り畳まれて、支保工全体の形状，容積を十分に小さく抑えられることとなる。この結果、出荷運搬や収納が容易となり、トラック上における占有空間を十分に小さく抑えることができる。
【００４８】
一方、これを作業現場で組み立てる場合には、再びクレーンのワイヤ端を上記のようにフランジ板１ｃ，２ｃ，３ｃ，４ｃの取付板５に係止して持ち上げ、図１や図１０に示す状態に立ち上げ、各伸縮ブレス１８，１９を最大伸長させ、さらに床部材３７，３９をそれぞれ垂直になるように立ち上げる。
【００４９】
そして、この状態にて、上記太径管部Ａおよび小径管部Ｂの各ピン孔２４にピン２６を差し込んでキーロックさせ、さらにブラケット２９のブラケット孔３０および連結板４２の床部材支持孔４７にボルト４８を通してナット４９をねじ込むことで（図５参照）、支保工の組み立てが迅速，簡単に行える。
【００５０】
また、かかる支保工では、上記のような起立状態において、各伸縮ブレス１８，１９および固定ブレス５７，５８が互いに交差して、各前部支柱１，２および後部支柱３，４をそれぞれ支えるため、簡単な構成であるにも拘らず、この支保工の全長に亘って、上下，左右，前後の各方向からの荷重負荷に対しても、十分な強度を確保できる。
【００５１】
【発明の効果】
本発明の支保工は、左右一対の前部支柱１，２と、これらの前部支柱１，２にそれぞれ対向する左右一対の後部支柱３，４と、左側前部及び後部支柱１，３間に架設した固定ブレス５６，５７と、同じく右側前部及び後部支柱２，４間に架設した固定ブレス５６，５７と、左側前部及び後部支柱１、３の下部にそれぞれ一端を枢着させると共に他端を右側前部及び後部支柱２，４の上部にそれぞれ枢着させた前後一対の伸縮ブレス１８，１８と、右側前部及び後部支柱２，４の下部にそれぞれ一端を枢着させると共に他端を左側前部及び後部支柱１，３の上部にそれぞれ枢着させた前後一対の伸縮ブレス１９，１９と、各伸縮ブレスに設けられてこれらの設定伸長状態のロックおよびロック解除を可能にする伸長ロック部材２６，２６と、左右の前部支柱１，２の上部と左右の後部支柱３，４の上部間にそれぞれ着脱自在に架設した前後一対の横杆３１，３１と、左側前部及び後部支柱１，３に一端側が枢支された第一の床部材３７と、右側前部及び後部支柱２，４に一端側が枢支された第二の床部材３９と、上記第一の床部材３７の他端側および第二の床部材３９の他端側を連結するヒンジ部材４１と、上記第一の床部材３７および第二の床部材３９間に着脱自在に架設されて連結部材４５の脱抜により上記各床部材３７，３９を上記ヒンジ部材４１を介して屈曲可能にする連結板４２、４２とを備えた構成にしている。
これにより、縦方向，左右方向のみならず前後方向からの荷重に対しても耐久性があり、かつ余分な作業をすることなく極めて簡単に折り畳みできる支保工を安価に得られる効果がある。
【００５２】
また、請求項２の発明によれば中央部付近で交差する上記伸縮ブレスの一方にブラケットを設け、該ブラケットとを固定支持部材によって着脱可能に固着支持するように構成したので、伸縮ブレスによってヒンジ部材を中心として折れ曲がる床部材を強固かつ安全に水平支持できるという効果が得られる。
【００５３】
そして、請求項３の発明によれば、伸縮ブレスの構造が簡単で加工性及び組付け性が向上する。
【図面の簡単な説明】
【図１】この発明の実施の一形態による支保工の基本構造を示す斜視図である。
【図２】図１における支保工の正面図である。
【図３】図１に示す支保工の左側面図である。
【図４】図１における取付ブラケットの取付構造を拡大して示す説明図である。
【図５】図１における伸縮ブレスの交差部付近を分解して示す斜視図である。
【図６】図１における連結板付近を分解して示す斜視図である。
【図７】図１における床部材上に床板を載せた状態を示す要部の斜視図である。
【図８】図７に示す床板除去時の床部材付近を示す斜視図である。
【図９】図１に示す支保工を二段積みしたものを示す斜視図である。
【図１０】図９に示す支保工の折り畳み過程を示す説明図である。
【図１１】図９に示す支保工の折り畳み完了状態を示す説明図である。
【図１２】従来の支保工を示す概念図である。
【符号の説明】
１，２  前部支柱
３，４  後部支柱
１８，１９  伸縮ブレス
２６  ピン（伸長ロック部材）
２９  ブラケット
３１  横杆
３７  第一の床部材
３９  第二の床部材
４１  ヒンジ部材
４２  連結板
４５  ボルト（連結部材）
４８  ボルト（固定支持部材）
５６，５７  固定ブレス
【図１】
0003700952.tif 000002
【図２】
0003700952.tif 000003
【図３】
0003700952.tif 000004
【図４】
0003700952.tif 000005
【図５】
0003700952.tif 000006
【図６】
0003700952.tif 000007
【図７】
0003700952.tif 000008
【図８】
0003700952.tif 000009
【図９】
0003700952.tif 000010
【図１０】
0003700952.tif 000011
【図１１】
0003700952.tif 000012
【図１２】
0003700952.tif 000013